(57)【要約】【課題】消費電力を抑制しつつ、アフタービュー表示開始までの待ち時間の増大を防止することが可能な撮像装置を提供する。【解決手段】撮像装置１は、撮影光学系からの光束を受光して本撮影画像の画像信号を生成する撮像素子５と、撮影光学系からの光束であって主反射面で反射された光束である観察用光束を受光して画像信号を生成する撮像素子７と、本撮影に関する確認用画像であるアフタービュー画像を撮影指示に応じて表示する表示手段と、撮像素子５で生成された画像信号に基づき本撮影画像の画像形成処理を実行する画像形成処理部の動作周波数を制御する制御手段とを備える。表示手段は、動作周波数が低減されている場合には、本撮影画像の画像形成処理が終了するまでは、撮影指示時点の前後にわたる微小時間内に撮像素子７により取得された画像を、アフタービュー画像として表示する。【選択図】図３
2009049833.tif 000002
【特許請求の範囲】
【請求項１】
撮像装置であって、
撮影光学系からの光束を受光して本撮影画像の画像信号を生成する第１の撮像素子と、
撮影光学系からの光束であって主反射面で反射された光束である観察用光束を受光して画像信号を生成する第２の撮像素子と、
本撮影に関する確認用画像であるアフタービュー画像を撮影指示に応じて表示する表示手段と、
前記第１の撮像素子で生成された画像信号に基づき前記本撮影画像の画像形成処理を実行する画像形成処理部の動作周波数を制御する制御手段と、
を備え、
前記表示手段は、前記動作周波数が前記制御手段によって低減されている場合には、前記本撮影画像の前記画像形成処理が終了するまでは、前記撮影指示時点の前後にわたる微小時間内に前記第２の撮像素子により取得された画像を、前記アフタービュー画像として表示することを特徴とする撮像装置。
【請求項２】
請求項１に記載の撮像装置において、
前記制御手段は、前記第１の撮像素子の読出クロック周波数を低減可能であることを特徴とする撮像装置。
【請求項３】
請求項１に記載の撮像装置において、
前記制御手段は、前記第１の撮像素子により生成された画像信号に対して画像処理を実行する画像処理部の動作クロック周波数を低減可能であることを特徴とする撮像装置。
【請求項４】
請求項１に記載の撮像装置において、
前記制御手段は、前記撮像装置内の電池の残量レベルが所定レベルより低いときに、前記動作周波数を低減することを特徴とする撮像装置。
【請求項５】
請求項１に記載の撮像装置において、
前記表示手段は、前記画像形成処理が終了すると、前記本撮影画像を前記アフタービュー画像として表示することを特徴とする撮像装置。
【発明の詳細な説明】
【技術分野】
【０００１】
本発明は、デジタルカメラなどの撮像装置に関する。
【背景技術】
【０００２】
デジタルカメラなどの撮像装置は、電池で駆動されることが多い。電池を長持ちさせるためには、消費電力を低減することが望まれる。
【０００３】
そのため、撮像装置においては、消費電力を実現するための技術が存在する（特許文献１等参照）。
【０００４】
例えば、特許文献１においては、ＣＰＵの動作クロックを低減することによって、無線通信における消費電力を低減することが記載されている。
【０００５】
【特許文献１】特開２００６−１８６８９４号公報
【発明の開示】
【発明が解決しようとする課題】
【０００６】
ところで、撮像装置においては、本撮影における撮影内容を確認するための画像（いわゆるアフタービュー画像）を撮影動作後に表示部（背面モニタ等）に表示する動作が行われることがある。
【０００７】
また、消費電力低減のためには、本撮影時において所定の処理部の動作クロックを低減することが考えられる。
【０００８】
しかしながら、本撮影時において、消費電力低減のために動作クロックを低減すると、本撮影画像に対する画像処理等に比較的長時間を要することになる。
【０００９】
そのため、アフタービュー表示を行う場合には、本撮影画像の露光が完了してからアフタービュー画像が表示されるまでの時間、すなわち、アフタービュー表示開始までの待ち時間が増大する、という問題が発生してしまう。
【００１０】
そこで、この発明の課題は、消費電力を抑制しつつ、アフタービュー表示開始までの待ち時間の増大を防止することが可能な撮像装置を提供することにある。
【課題を解決するための手段】
【００１１】
本発明の第１の側面は、撮像装置であって、撮影光学系からの光束を受光して本撮影画像の画像信号を生成する第１の撮像素子と、撮影光学系からの光束であって主反射面で反射された光束である観察用光束を受光して画像信号を生成する第２の撮像素子と、本撮影に関する確認用画像であるアフタービュー画像を撮影指示に応じて表示する表示手段と、前記第１の撮像素子で生成された画像信号に基づき前記本撮影画像の画像形成処理を実行する画像形成処理部の動作周波数を制御する制御手段とを備え、前記表示手段は、前記動作周波数が前記制御手段によって低減されている場合には、前記本撮影画像の前記画像形成処理が終了するまでは、前記撮影指示時点の前後にわたる微小時間内に前記第２の撮像素子により取得された画像を、前記アフタービュー画像として表示するものである。
【発明の効果】
【００１２】
本発明によれば、消費電力を抑制しつつ、アフタービュー表示開始までの待ち時間の増大を防止することが可能である。
【発明を実施するための最良の形態】
【００１３】
以下、本発明の実施形態を図面に基づいて説明する。
【００１４】
＜１．構成概要＞
図１および図２は、本発明の第１実施形態に係る撮像装置１の外観構成を示す図である。ここで、図１は、撮像装置１の正面外観図であり、図２は、撮像装置１の背面外観図である。この撮像装置１は、レンズ交換式一眼レフレックスタイプのデジタルカメラとして構成されている。
【００１５】
図１に示すように、撮像装置１は、カメラ本体部（カメラボディ）２を備えている。このカメラ本体部２に対して、交換式の撮影レンズユニット（交換レンズ）３が着脱可能である。
【００１６】
撮影レンズユニット３は、主として、鏡胴３６、ならびに、鏡胴３６の内部に設けられるレンズ群３７（図３参照）及び絞り等によって構成される。レンズ群３７（撮影光学系）には、光軸方向に移動することによって焦点位置を変更するフォーカスレンズ等が含まれている。
【００１７】
カメラ本体部２は、撮影レンズユニット３が装着される円環状のマウント部Ｍｔを正面略中央に備え、撮影レンズユニット３を着脱するための着脱ボタン８９を円環状のマウント部Ｍｔ付近に備えている。
【００１８】
また、カメラ本体部２は、その正面左上部にモード設定ダイヤル８２を備えている。モード設定ダイヤル８２を操作することによれば、カメラの各種モード（各種撮影モード（人物撮影モード、風景撮影モード、およびフルオート撮影モード等）、撮影した画像を再生する再生モード、および外部機器との間でデータ交信を行う通信モード等を含む）の設定動作（切替動作）を行うことが可能である。
【００１９】
また、カメラ本体部２は、正面左端部に撮影者が把持するためのグリップ部１４を備えている。グリップ部１４の上面には露光開始を指示するためのレリーズボタン１１が設けられている。グリップ部１４の内部には電池収納室とカード収納室とが設けられている。電池収納室にはカメラの電源として、例えばリチウムイオン電池などの電池が収納されており、カード収納室には撮影画像の画像データを記録するためのメモリカード９０（図３参照）が着脱可能に収納されるようになっている。
【００２０】
レリーズボタン１１は、半押し状態（Ｓ１状態）と全押し状態（Ｓ２状態）の２つの状態を検出可能な２段階検出ボタンである。レリーズボタン１１が半押しされＳ１状態になると、被写体に関する記録用静止画像（本撮影画像）を取得するための準備動作（例えば、ＡＦ制御動作等）が行われる。また、レリーズボタン１１がさらに押し込まれてＳ２状態になると、当該本撮影画像の撮影動作（撮像素子５（後述）を用いて被写体像（被写体の光像）に関する露光動作を行い、その露光動作によって得られた画像信号に所定の画像処理を施す一連の動作）が行われる。このように、撮像装置１は、レリーズボタン１１が半押し状態Ｓ１にされると撮影準備指示が付与されたものとみなし、レリーズボタン１１が全押し状態Ｓ２にされると撮影指示が付与されたものとみなす。
【００２１】
図２において、カメラ本体部２の背面略中央上部には、ファインダ窓（接眼窓）１０が設けられている。撮影者は、ファインダ窓１０を覗くことによって、撮影レンズユニット３から導かれた被写体の光像を視認して構図決定を行うことができる。すなわち、光学ファインダを用いて構図決めを行うことが可能である。
【００２２】
なお、この実施形態に係る撮像装置１においては、背面モニタ１２（後述）に表示されるライブビュー画像を用いて構図決めを行うことも可能である。また、光学ファインダによる構図決め動作とライブビュー表示による構図決め動作との切換操作は、操作者が切換ダイヤル８７を回転させることによって実現される。
【００２３】
図２において、カメラ本体部２の背面の略中央には、背面モニタ１２が設けられている。背面モニタ１２は、例えばカラー液晶ディスプレイ（ＬＣＤ）として構成される。背面モニタ１２は、撮影条件等を設定するためのメニュー画面を表示すること、および再生モードにおいてメモリカード９０に記録された撮影画像を再生表示することなどが可能である。また、操作者が光学ファインダによる構図決めではなくライブビュー表示による構図決めを選択した場合には、背面モニタ１２には、撮像素子７（後述）によって取得された時系列の複数の画像（すなわち動画像）がライブビュー画像として表示される。さらには、後述するように、背面モニタ１２は、アフタービュー画像を表示することも可能である。
【００２４】
背面モニタ１２の左上部には電源スイッチ（メインスイッチ）８１が設けられている。電源スイッチ８１は２点スライドスイッチからなり、接点を左方の「ＯＦＦ」位置に設定すると、電源がオフになり、接点の右方の「ＯＮ」位置に設定すると、電源がオンになる。
【００２５】
背面モニタ１２の右側には方向選択キー８４が設けられている。この方向選択キー８４は円形の操作ボタンを有し、この操作ボタンにおける上下左右の４方向の押圧操作と、右上、左上、右下及び左下の４方向の押圧操作とが、それぞれ検出されるようになっている。なお、方向選択キー８４は、上記８方向の押圧操作とは別に、中央部のプッシュボタンの押圧操作も検出されるようになっている。
【００２６】
背面モニタ１２の左側には、メニュー画面の設定、画像の削除などを行うための複数のボタンからなる設定ボタン群８３が設けられている。
【００２７】
＜２．機能ブロック＞
つぎに、図３を参照しながら、撮像装置１の機能の概要について説明する。図３は、撮像装置１の機能構成を示すブロック図である。
【００２８】
図３に示すように、撮像装置１は、操作部８０、全体制御部１０１、フォーカス制御部１２１、ミラー制御部１２２、シャッタ制御部１２３、タイミング制御回路１２４，１２５、およびデジタル信号処理回路４０，５０等を備える。
【００２９】
操作部８０は、レリーズボタン１１（図１参照）を含む各種ボタンおよびスイッチ等を備えて構成される。操作部８０に対するユーザーの入力操作に応答して、全体制御部１０１が各種動作を実現する。
【００３０】
全体制御部１０１は、マイクロコンピュータとして構成され、主にＣＰＵ、メモリ、及びＲＯＭ等を備える。全体制御部１０１は、ＲＯＭ内に格納されるプログラムを読み出し、当該プログラムをＣＰＵで実行することによって、各種機能を実現する。
【００３１】
例えば、全体制御部１０１は、動作周波数制御部１１１および表示制御部１１２を有している。
【００３２】
動作周波数制御部１１１は、画像形成処理部１４０および画像形成処理部１５０の動作周波数を制御する。具体的には、電池の残量レベルが所定レベルよりも小さくなると、画像形成処理部１５０の動作周波数を低下させる。また、表示制御部１１２は、背面モニタ１２における表示内容を、例えば、アフタービュー表示の内容等を制御する。これらの動作については後に詳述する。
【００３３】
また、全体制御部１０１は、ＡＦモジュール２０およびフォーカス制御部１２１等と協動して、フォーカスレンズの位置を制御する合焦制御動作を行う。全体制御部１０１は、ＡＦモジュール２０によって検出される被写体の合焦状態に応じて、フォーカス制御部１２１を用いてＡＦ動作を実現する。なお、ＡＦモジュール２０は、ミラー機構６を介して進入してきた光を用いて、位相差方式等の合焦状態検出手法により被写体の合焦状態を検出することが可能である。
【００３４】
フォーカス制御部１２１は、全体制御部１０１から入力される信号に基づいて制御信号を生成しモータＭ１を駆動することによって、撮影レンズユニット３のレンズ群３７に含まれるフォーカスレンズを移動する。また、フォーカスレンズの位置は、撮影レンズユニット３のレンズ位置検出部３９によって検出され、フォーカスレンズの位置を示すデータが全体制御部１０１に送られる。このように、フォーカス制御部１２１および全体制御部１０１等は、フォーカスレンズの光軸方向の動きを制御する。
【００３５】
ミラー制御部１２２は、ミラー機構６が光路から退避した状態（ミラーアップ状態）とミラー機構６が光路を遮断した状態（ミラーダウン状態）との状態切替を制御する。ミラー制御部１２２は、全体制御部１０１から入力される信号に基づいて制御信号を生成しモータＭ２を駆動することによって、ミラーアップ状態とミラーダウン状態とを切り替える。
【００３６】
シャッタ制御部１２３は、全体制御部１０１から入力される信号に基づいて制御信号を生成しモータＭ３を駆動することによって、シャッタ４の開閉を制御する。
【００３７】
タイミング制御回路１２５は、撮像素子５等に対するタイミング制御を行う。
【００３８】
撮像素子（ここではＣＣＤセンサ（単にＣＣＤとも称する））５は、光電変換作用により被写体の光像を電気的信号に変換して、本撮影画像に係る画像信号（記録用の画像信号）を生成する。撮像素子５は、記録画像取得用の撮像素子であるとも表現される。
【００３９】
撮像素子５は、タイミング制御回路１２５から入力される駆動制御信号（蓄積開始信号および蓄積終了信号）に応答して、受光面に結像された被写体像の露光（光電変換による電荷蓄積）を行い、当該被写体像に係る画像信号を生成する。また、撮像素子５は、タイミング制御回路１２５から入力される読出制御信号に応答して、当該画像信号を信号処理部５１へ出力する。また、タイミング制御回路１２５からのタイミング信号（同期信号）は、信号処理部５１及びＡ／Ｄ（アナログ／デジタル）変換回路５２にも入力される。
【００４０】
撮像素子５で取得された画像信号は、信号処理部５１において所定のアナログ信号処理が施され、当該アナログ信号処理後の画像信号はＡ／Ｄ変換回路５２によってデジタル画像データ（画像データ）に変換される。この画像データは、デジタル信号処理回路５０に入力される。
【００４１】
デジタル信号処理回路５０は、Ａ／Ｄ変換回路５２から入力される画像データに対してデジタル信号処理を行い、撮像画像に係る画像データを生成する。デジタル信号処理回路５０は、黒レベル補正回路５３、ホワイトバランス（ＷＢ）回路５４、γ補正回路５５及び画像メモリ５６を備える。
【００４２】
黒レベル補正回路５３は、Ａ／Ｄ変換回路５２が出力した画像データを構成する各画素データの黒レベルを基準の黒レベルに補正する。ＷＢ回路５４は、画像のホワイトバランス調整を行う。γ補正回路５５は、撮像画像の階調変換を行う。画像メモリ５６は、生成された画像データを一時的に記憶するための、高速アクセス可能な画像メモリであり、複数フレーム分の画像データを記憶可能な容量を有する。
【００４３】
本撮影時には、画像メモリ５６に一時記憶される画像データは、全体制御部１０１において適宜画像処理（圧縮処理等）が施された後、カードＩ／Ｆ１３２を介してメモリカード９０に記憶される。
【００４４】
また、画像メモリ５６に一時記憶される画像データは、全体制御部１０１によって適宜ＶＲＡＭ１３１に転送され、背面モニタ１２に画像データに基づく画像が表示される。これによって、本撮影に関する確認用画像であるアフタービュー画像を撮影指示に応じて表示する確認表示（アフタービュー表示）、および撮影済みの画像を再生する再生表示等が実現される。
【００４５】
なお、撮像素子５、タイミング制御回路１２５、信号処理部５１、Ａ／Ｄ変換回路５２、およびデジタル信号処理回路５０等は、撮像素子５による撮影画像の形成処理に関する処理部（画像形成処理部）１５０を構成する。
【００４６】
また、この撮像装置１は、撮像素子５とは別の撮像素子７（図４も参照）をさらに備えている。撮像素子７は、いわゆるライブビュー画像取得用（動画取得用）の撮像素子としての役割を果たす。撮像素子７も、撮像素子５と同様の構成を有している。ただし、撮像素子７は、ライブビュー用の画像信号（動画像）を生成するための解像度を有していればよく、通常、撮像素子５よりも少ない数の画素で構成される。
【００４７】
撮像装置１は、撮像素子７による撮影画像の形成処理に関する処理部（画像形成処理部）１４０をさらに備えている。画像形成処理部１４０は、画像形成処理部１５０と同様の構成を有している。具体的には、画像形成処理部１４０は、撮像素子７、タイミング制御回路１２４、信号処理部４１、Ａ／Ｄ変換回路４２、およびデジタル信号処理回路４０等によって構成される。
【００４８】
撮像素子７で取得された画像信号に対しては、撮像素子５で取得された画像信号と同様の信号処理が、画像形成処理部１４０によって施される。
【００４９】
具体的には、撮像素子７で取得された画像信号は、信号処理部４１で所定の処理が施され、Ａ／Ｄ変換回路４２でデジタルデータに変換された後、デジタル信号処理回路４０で所定の画像処理が施され、画像メモリ４６に格納される。
【００５０】
また、撮像素子７で取得され画像メモリ４６に格納される時系列の画像データは、全体制御部１０１によって適宜ＶＲＡＭ１３１に順次に転送され、当該時系列の画像データに基づく複数の画像が背面モニタ１２に順次に表示される。これによって、構図決めを行うための動画的態様の表示（ライブビュー表示）が実現される。
【００５１】
また、後述するように、撮像素子７により取得された画像は、特定の期間においてアフタービュー表示にも用いられる。
【００５２】
＜３．撮影動作＞
＜概要＞
つぎに、この撮像装置１における構図決め動作を含む撮影動作について説明する。上述したように、この撮像装置１においては、ファインダ光学系等で構成される光学ファインダ（光学ビューファインダ（ＯＶＦ）とも称される）を用いて構図決め（フレーミング）を行うことが可能であるとともに、背面モニタ１２に表示されるライブビュー画像を用いて構図決めを行うことも可能である。ライブビュー画像は、被写体に関する時系列の画像であって表示部（背面モニタ１２等）に順次に表示される画像、換言すれば被写体の画像を動画的態様で表示する画像である、とも表現される。なお、撮像素子７および背面モニタ１２を利用して実現されるファインダ機能は、被写体の光像を電子データに変換した後に可視化するものであることから電子ビューファインダ（ＥＶＦ）とも称される。
【００５３】
上述したように、操作者は切換ダイヤル８７を操作することによって、光学ビューファインダ（ＯＶＦ）を用いて構図決めを行うか、操作者が電子ビューファインダ（ＥＶＦ）を用いて構図決めを行うかを選択することができる。
【００５４】
図４および図５は、撮像装置１の断面図である。図４は、ＯＶＦを用いた構図決め動作を示しており、図５は、ＥＶＦを用いた構図決め動作を示している。また、図６は、露光動作時（詳細にはＯＶＦ時）の状態を示す断面図である。
【００５５】
図４等に示すように、撮影レンズユニット３から撮像素子５に至る光路（撮影光路）上にはミラー機構６が設けられている。ミラー機構６は、撮影光学系からの光を上方に向けて反射する主ミラー６１（主反射面）を有している。この主ミラー６１は、例えばその一部または全部がハーフミラーとして構成され、撮影光学系からの光の一部を透過する。また、ミラー機構６は、主ミラー６１を透過した光を下方に反射させるサブミラー６２（副反射面）をも有している。サブミラー６２で下方に反射された光は、ＡＦモジュール２０へと導かれて入射し、位相差方式のＡＦ動作に利用される。
【００５６】
撮影モードにおいてレリーズボタン１１が全押し状態Ｓ２にされるまで、換言すれば構図決めの際には、ミラー機構６はミラーダウン状態となるように配置される（図４および図５参照）。そして、この際には、撮影レンズユニット３からの被写体像は、主ミラー６１で上方に反射され観察用光束としてペンタミラー６５に入射する。ペンタミラー６５は、複数のミラー（反射面）を有しており、被写体像の向きを調整する機能を有している。また、ペンタミラー６５に入射した後の、観察用光束の進路は、上記の両方式（すなわちＯＶＦ方式およびＥＶＦ方式）のいずれを採用して構図決めを行うかに応じて異なっている。これについては後述する。操作者は、選択した所望の方式によって構図決めを行うことが可能である。
【００５７】
一方、レリーズボタン１１が全押し状態Ｓ２にされると、ミラー機構６はミラーアップ状態となるように駆動され、露光動作が開始される（図６参照）。被写体に係る記録用静止画像（本撮影画像とも称する）を取得する際の基本的動作（すなわち露光の際の動作）は、上記の両方式（すなわちＯＶＦ方式およびＥＶＦ方式）による構図決めに共通である。
【００５８】
具体的には、図６に示すように、露光時には、ミラー機構６は、撮影光路から待避する。詳細には、撮影光学系からの光（被写体像）を遮らないように主ミラー６１とサブミラー６２とが上方に待避し、撮影レンズユニット３からの光が、主ミラー６１で反射されることなく進行して、シャッタ４の開放タイミングに合わせて撮像素子５に到達する。撮像素子５は、光電変換によって、受光した光束に基づいて被写体の画像信号を生成する。このように、被写体からの光が撮影レンズユニット３を介して撮像素子５に導かれることによって、被写体に係る撮影画像（撮影画像データ）が得られる。
【００５９】
＜光学ファインダによる構図決め動作（フレーミング動作）＞
次に、構図決めの際の上記両方式の各動作についてそれぞれ説明する。
【００６０】
まず、ＯＶＦ方式の構図決め動作について説明する。
【００６１】
図４に示すように、ミラー機構６の主ミラー６１およびサブミラー６２が、撮影レンズユニット３からの被写体像の光路上に配置されると、被写体像が主ミラー６１とペンタミラー６５と接眼レンズ６７とを介してファインダ窓１０へと導かれる。このように、主ミラー６１とペンタミラー６５と接眼レンズ６７とを含むファインダ光学系は、撮影光学系からの光束であって主ミラー６１で反射された光束である観察用光束をファインダ窓１０へと導くことが可能である。
【００６２】
詳細には、撮影レンズユニット３からの光は、主ミラー６１で反射されて上方に進路を変更し、焦点板６３において結像し、焦点板６３を通過する。その後、焦点板６３を通過した光は、ペンタミラー６５でその進路をさらに変更した後に接眼レンズ６７を通ってファインダ窓１０へ向かう（図４の光路ＰＡ参照）。このようにして、ファインダ窓１０を通過した被写体像は撮影者（観察者）の眼へ到達して視認される。すなわち、撮影者はファインダ窓１０を覗くことによって、被写体像を確認することができる。
【００６３】
ここにおいて、ペンタミラー６５は、三角屋根状に形成された２面のミラー（ダハミラー）６５ａ，６５ｂと、当該ダハミラー（ダハ面）６５ａ，６５ｂに対して固定された面６５ｃと、もう１つのミラー（反射面）６５ｅとを有している。また、三角屋根状の２面のミラー６５ａ，６５ｂは、プラスチック成型により一体部品６５ｄとして形成されている。主ミラー６１で反射されて上方に進路を変更した光は、ダハミラー６５ａ，６５ｂで反射されて左右反転されて進行し、さらにミラー６５ｅでも反射されることによって上下も反転されて撮影者の眼に到達する。このように、撮影レンズユニット３において左右上下が反転されていた光像は、ペンタミラー６５でさらに左右上下が反転される。これにより、撮影者は、光学ファインダにおいて、その上下左右が実際の被写体と同じ状態で被写体像を観察することができる。
【００６４】
なお、ここでは、ファインダ光学系の一部である光学ユニットＵ１が撮像装置１内部の上部空間ＳＵに設けられている。この光学ユニットＵ１は、接眼レンズ６７とファインダ窓１０とを有するととともに、駆動手段（不図示）によって開閉可能なアイピースシャッタ１６をさらに有している。ＯＶＦ方式の構図決め動作時においては、アイピースシャッタ１６は開放されており、ペンタミラー６５からの被写体像がファインダ窓１０を通過するように構成されている。
【００６５】
また、主ミラー６１を透過した光はサブミラー６２で反射されて下方に進路を変更しＡＦモジュール２０へと進入する。ＡＦモジュール２０およびフォーカス制御部１２１等は、主ミラー６１およびサブミラー６２を介して進入してきた光を用いて、ＡＦ動作を実現する。
【００６６】
＜電子ファインダによる構図決め動作（フレーミング動作）＞
次に、ＥＶＦ方式による構図決め動作について説明する。
【００６７】
この場合にも、図５に示すように、ミラー機構６の主ミラー６１およびサブミラー６２が、撮影レンズユニット３からの被写体像の光路上に配置される。そして、撮影レンズユニット３からの光は、主ミラー６１で反射されて上方に進路を変更し、焦点板６３において結像し、焦点板６３を通過する。
【００６８】
ただし、このＥＶＦ方式による構図決め動作においては、焦点板６３を通過した光は、ペンタミラー６５でその進路をさらに変更した後に、ビームスプリッタ７１でさらにその進路を変更して結像レンズ６９（結像光学系）を通過して撮像素子７の撮像面上で再結像する（図５の光路ＰＢ参照）。なお、主ミラー６１で反射されて上方に進路を変更した光は、ダハミラー６５ａ，６５ｂで反射されて左右反転されて進行し、さらにミラー６５ｅでも反射されることによって上下も反転され、さらに結像レンズ６９で上下左右反転されて撮像素子７に到達する。
【００６９】
より詳細には、図４と比較すると判るように、図５においてはミラー６５ｅの角度（カメラ本体部２に対する設置角度）が変更されている。具体的には、ミラー６５ｅは、図４の状態から、その下端側の軸ＡＸ１を中心に矢印ＡＲ１の向きに所定角度α回動している。なお、ミラー６５ｅは、切換ダイヤル８７の操作に応じて回動する。具体的には、操作者による切換ダイヤル８７に対する回転操作力が、所定の伝達機構（不図示）によりミラー６５ｅの回転軸に対して伝達されることによって、ミラー６５ｅが回動する。
【００７０】
そして、このミラー６５ｅの角度変更によって、ミラー６５ｅで反射される光（観察用光束）の反射角度が変更され、当該ミラー６５ｅによる反射光の進行経路が変更される。具体的には、図４の状態に比べて、ミラー６５ｅへの入射角度θ１が比較的小さくなり、反射角度θ２も比較的小さくなる。その結果、ミラー６５ｅの反射光は、接眼レンズ６７に向かう光路からダハミラー６５ａ，６５ｂ寄りの光路へとその進路を上方に変更してビームスプリッタ７１に向かい、ビームスプリッタ７１でさらにその進路を変更して結像レンズ６９を通過して撮像素子７に到達する。なお、ビームスプリッタ７１、結像レンズ６９および撮像素子７は、接眼レンズ６７よりも上方に配置されており、且つ、ＯＶＦの際にミラー６５ｅから接眼レンズ６７へと進行する光束を遮らない位置に配置されている。
【００７１】
また、ミラー６５ｅで反射された光束の進路は、ミラー６５ｅの変更角度αに応じて、その２倍の大きさの角度β（＝２×α）変更される。逆に言えば、反射光路の進行角度を角度β変更するために、ミラー６５ｅの回転角度は、当該角度βの半分の角度αで済む。すなわち、ミラー６５ｅの比較的小さな回転角度でミラー６５ｅの反射光の進路を比較的大きく変更することが可能である。また、ミラー６５ｅと撮像素子７とは光学的に比較的離れて配置されているため、ミラー６５ｅの回転角度を小さく変更するだけで、ミラー６５ｅによる２つの反射光を、互いに離れて配置された接眼レンズ６７および撮像素子７へと確実に導くことが可能である。すなわち、ミラー６５ｅの回転角度を小さく変更することによってミラー６５ｅによる反射光の光束を良好に２つの光路に選択的に進行させることが可能である。したがって、ミラー６５ｅの回転によるスペースの増大は最小限に止められる。
【００７２】
撮像素子７は、ミラー６５ｅで反射され結像レンズ６９を通過して撮像素子７に到達した被写体像に基づいて、ライブビュー画像を生成する。具体的には、微小時間間隔（例えば、１／６０秒）で複数の画像を順次に生成する。そして、取得された時系列の画像は背面モニタ１２において順次に表示される。これによって、撮影者は、背面モニタ１２に表示される動画像（ライブビュー画像）を視認し、当該動画像を用いて構図決めを行うことが可能になる。
【００７３】
また、この場合も、ＯＶＦによる構図決めの際（図４参照）と同様に、主ミラー６１とサブミラー６２とを介してＡＦモジュール２０に入射した光を用いてＡＦ動作が実現される。
【００７４】
なお、ＥＶＦ方式の構図決め動作時においては、ファインダ窓１０からの光が上部空間ＳＵへと入射しないように、アイピースシャッタ１６が閉じられている。
【００７５】
以上のように、ミラー６５ｅで反射した後の観察用光束の進路（詳細には主進路）は、ミラー６５ｅの反射角度の変更によって、ミラー６５ｅから接眼レンズ６７およびファインダ窓１０に向かう光路ＰＡ（図４）と、ミラー６５ｅから結像レンズ６９および撮像素子７に向かう光路ＰＢ（図５）との間で切り換えられる。換言すれば、当該観察用光束の進路は、ミラー６５ｅの反射角度の変更によって、ミラー６５ｅで反射されてファインダ窓１０に向かう第１の光路ＰＡと、ミラー６５ｅで反射されて撮像素子７に向かう第２の光路ＰＢとの間で切り換えられる。
【００７６】
＜４．アフタービュー表示＞
つぎに、撮影動作からアフタービュー表示（図７参照）までの動作について詳細に説明する。図７の背面図には、アフタービュー画像ＶＡが背面モニタ１２に表示されている様子が示されている。
【００７７】
図８は、レリーズボタン１１が全押し状態Ｓ２にされてから、本撮影画像がアフタービュー画像ＶＡとして表示されるまでの動作のうちの一部の動作を示すタイミングチャートである。
【００７８】
時刻Ｔ０でレリーズボタン１１が全押し状態Ｓ２にされると、ミラーアップ動作が行われ、さらに時刻Ｔ１０から撮像素子５による露光処理Ｅ１が実行される。その後、撮像素子５からの画素信号の読出処理Ｒ１と、読み出された画像信号に対する画像処理Ｐ１とが順次に実行される。そして、画像処理Ｐ１が終了して本撮影画像に関する画像形成処理が完了すると、時刻Ｔ３０において、当該本撮影画像が背面モニタ１２にアフタービュー画像ＶＡとして表示される。すなわち、時刻Ｔ３０から本撮影画像によるアフタービュー表示処理Ｖ１が実行される。
【００７９】
さて、ここでは、撮像装置１における消費電力低減のため、本撮影時において所定の条件が充足される場合には、画像形成処理部１５０の動作周波数を低減する。これによれば、電池を長持ちさせることなどが可能になる。
【００８０】
しかしながら、単に動作周波数を低減する場合には、図９に示すように、アフタービュー画像ＶＡの表示までの時間ｔｖが長大化してしまう。なお、図９は、動作周波数を低減した場合のタイミングチャートである。
【００８１】
たとえば、撮像素子５の（画素信号の）読出クロック周波数を約半分に低減すると、読出時間ｔｒは（時間ｔｒ０から時間ｔｒ１へと）約２倍になる。また、画像処理に関する動作クロック周波数を約半分に低減すると、画像処理時間ｔｐは、（時間ｔｐ０から時間ｔｐ１へと）約２倍になる。
【００８２】
この場合、本撮影画像に対する画像処理が終了して、当該本撮影画像がアフタービュー画像ＶＡとして背面モニタ１２に表示可能な時刻は、時刻Ｔ３０（図８）から時刻Ｔ４０（図９）へと遅延する。すなわち、アフタービュー画像ＶＡの表示開始が遅延する。換言すれば、レリーズボタン１１が全押し状態Ｓ２に押下されてから本撮影画像がアフタービュー画像ＶＡとして背面モニタ１２に表示されるまでの時間ｔｖは、例えば、約２００ｍｓ（ミリ秒）（＝ｔｖ０）から約３００ｍｓ（＝ｔｖ１）へと長くなる。
【００８３】
そこで、この実施形態においては、本撮影画像によるアフタービュー表示を行う前の所定期間においては、撮像素子７で撮影されている画像（ライブビュー画像でもある）を、アフタービュー画像ＶＡとして背面モニタ１２に表示する（図１１参照（後述））。これによれば、より早い段階でアフタービュー画像ＶＡを背面モニタ１２に表示することが可能になる。
【００８４】
特に、撮像素子７の画素数は、撮像素子５の画素数と比較すると非常に少ないため、撮像素子７の画像に関する読出処理および画像処理は、撮像素子５の画像に関する読出処理および画像処理に比べて、短時間で終了する。そのため、非常に早い段階からアフタービュー表示を実行することが可能である。
【００８５】
図１０は、アフタービュー表示前後の動作を示すフローチャートである。
【００８６】
図１０に示すように、まず、ステップＳＰ１１においてレリーズボタン１１が全押し状態Ｓ２にされたか否かが判定される。レリーズボタン１１が全押し状態Ｓ２にされるまでは待機状態が継続され、レリーズボタン１１が全押し状態Ｓ２にされたこと（Ｓ２オン）が検出されると、ステップＳＰ１２に進む。
【００８７】
ステップＳＰ１２においては、電池の残量レベルが所定レベル（例えば、電力量の残量が２０％程度）より低いという条件が充足されているか否かが判定される。当該条件が充足されているときにはステップＳＰ１３に進む。一方、当該条件が充足されていないときには、ステップＳＰ１３には進まずステップＳＰ１５に進む。これにより、電池残量が少なくなった場合にのみ、図１１に示すような変則的なアフタービュー表示が実行され、それ以外の場合には図８に示すような通常のアフタービュー表示が実行される。
【００８８】
ステップＳＰ１３においては、撮像装置１は、画像形成処理部１５０の動作周波数を下げる。より詳細には、タイミング制御回路１２５によって撮像素子５の読出クロック周波数を低減し、当該読出クロック周波数を例えば約半分の値に設定する。さらに、デジタル信号処理回路５０の動作クロック周波数を低減し、当該動作クロック周波数を例えば約半分の値に設定する。
【００８９】
ステップＳＰ１４においては、撮像装置１は、レリーズボタン１１が全押し状態Ｓ２にまで押下された時点Ｔ０の近傍で（例えば当該押下時点Ｔ０の直前もしくは直後に）取得されたライブビュー画像Ｇ０を、アフタービュー画像ＶＡとして、背面モニタ１２に表示する。
【００９０】
その後、撮像素子５によって取得された本撮影画像Ｇ１の画像処理が終了（ステップＳＰ１５）すると、それまで背面モニタ１２に表示されていた画像Ｇ０に代えて、当該本撮影画像Ｇ１がアフタービュー画像ＶＡとして背面モニタ１２に表示される（ステップＳＰ１６）。
【００９１】
図１１は、このような動作の一例を示すタイミングチャートである。
【００９２】
上述のように、時刻Ｔ４０までは、本撮影画像Ｇ１に関する画像形成処理が未だ終了していないため、本撮影画像Ｇ１によるアフタービュー画像ＶＡを表示することができない（図９も参照）。
【００９３】
図１１に示すように、レリーズボタン１１の押下時点Ｔ０の前後（ここでは直前）に撮像素子７にて露光された画像Ｇ０が、時刻Ｔ２から時刻Ｔ４０までの期間においてアフタービュー画像ＶＡ（予備的なアフタービュー画像）として表示される。なお、時刻Ｔ２は、時刻Ｔ０の前後にて露光処理Ｅ２が完了した画像信号（露光画像Ｇ０）が撮像素子７から読み出される読出処理Ｒ２と、当該露光画像Ｇ０に対する画像処理Ｐ２との双方が完了した時刻である。
【００９４】
そして、時刻Ｔ４０からは、撮像素子５によって取得された本撮影画像Ｇ１が、アフタービュー画像ＶＡとして表示される。
【００９５】
このような動作によれば、アフタービュー画像ＶＡが、レリーズボタン１１の押下時点Ｔ０以降の比較的早い段階から（具体的には時刻Ｔ２から）背面モニタ１２に表示される。したがって、アフタービュー表示開始までの待ち時間（非表示時間）の増大を防止することができる。また、動作周波数の低減によって消費電力を低減することもできる。
【００９６】
＜４．その他＞
以上、この発明の実施の形態について説明したが、この発明は上記説明した内容のものに限定されるものではない。
【００９７】
例えば、上記実施形態では、図１１において、レリーズボタン１１の押下時点Ｔ０の直前に撮像素子７にて露光された画像Ｇ０が、時刻Ｔ２から時刻Ｔ４０に至る期間においてアフタービュー画像ＶＡとして表示される場合を例示したが、これに限定されない。
【００９８】
具体的には、図１２に示すように、撮像素子７による露光画像であって、時刻Ｔ０後に露光が完了する露光画像Ｇ０（詳細には露光処理Ｅ２が時刻Ｔ０の直後に開始され且つ時刻Ｔ０の直後に完了する露光画像）を、時刻Ｔ２の到来後に背面モニタ１２にアフタービュー画像ＶＡとして表示するようにしてもよい。
【００９９】
或いは、図１３に示すように、撮像素子７による露光画像であって、時刻Ｔ０後に露光が完了する露光画像Ｇ０（詳細には露光処理Ｅ２が時刻Ｔ０の直前に開始され且つ時刻Ｔ０の直後に完了する露光画像）を、時刻Ｔ２の到来後に背面モニタ１２にアフタービュー画像ＶＡとして表示するようにしてもよい。
【０１００】
また、撮像素子７により順次に取得されるライブビュー画像のうち、図１１のような時刻Ｔ０の直前の露光フレームではなく、時刻Ｔ０から数フレーム前に撮像素子７において露光された画像Ｇ０を、時刻Ｔ２の到来後に背面モニタ１２にアフタービュー画像ＶＡとして表示するようにしてもよい。
【０１０１】
あるいは、撮像素子７により順次に取得されるライブビュー画像のうち、図１２のような時刻Ｔ０の直後の露光フレームではなく、時刻Ｔ０から数フレーム後に撮像素子７において露光された画像Ｇ０を、時刻Ｔ２の到来後に背面モニタ１２にアフタービュー画像ＶＡとして表示するようにしてもよい。
【０１０２】
このように、ライブビュー表示用の時系列の複数の画像のうち、撮影指示時点Ｔ０の前後にわたる微小時間内に撮像素子７により取得された画像Ｇ０（例えば、時刻Ｔ０よりも数フレーム前の露光画像から時刻Ｔ０よりも数フレーム後の露光画像までの複数の露光画像のうちのいずれか）を、アフタービュー画像ＶＡとして背面モニタ１２に表示するようにしてよい。
【０１０３】
また、上記実施形態においては、電池の残量レベルが所定レベルより低いとき（ステップＳＰ１２）に画像形成処理部１５０の動作周波数を低減する態様を例示しているが、これに限定されない。例えば、その他の条件（例えば、撮影モードが連写撮影モードではなく単写撮影モードに設定されていること）を充足する場合に画像形成処理部１５０の動作周波数を低減するようにしてもよい。あるいは、撮像素子５による本撮影動作を行う際には常に画像形成処理部１５０の動作周波数を低減するようなユーザ設定を可能とするように、撮像装置１を構成してもよい。そして、動作周波数が低減される場合には、図１１等に示されるようなアフタービュー表示を行えばよい。
【０１０４】
また、上記実施形態においては、画像形成処理部１５０の動作周波数を低減する態様として、撮像素子５からの読出クロック周波数とデジタル信号処理回路５０の動作クロック周波数との双方を低減する場合を例示しているが、これに限定されない。例えば、撮像素子５からの読出クロック周波数とデジタル信号処理回路５０の動作クロック周波数とのうちの一方のみを低減するようにしてもよい。換言すれば、画像形成処理部１５０の一部の動作周波数を低減するようにしてもよい。
【０１０５】
また、上記実施形態においては、動作周波数を約半分の値に低減する場合を例示しているが、これに限定されず、例えば１／３、あるいは、３／４、などの他のレベルに低減するようにしてもよい。
【０１０６】
また、上記実施形態においては、画像形成処理部１５０の動作周波数のみを低減しているが、これに限定されず、画像形成処理部１４０の動作周波数をも低減してもよい。ただし、この場合には、撮像素子７に関する処理時間も長くなる。しかしながら、撮像素子７の画素数は撮像素子５の画素数に比べて小さいため、撮像素子７に関する画像形成処理は、撮像素子５に関する画像形成処理よりも比較的短時間で終了する。したがって、撮像素子５による本撮影よりも前の時点から、撮像素子７による画像をアフタービュー画像ＶＡとして表示することが可能である。
【０１０７】
また、上記実施形態では、撮像素子５による撮影画像の形成処理に関する画像形成処理部１５０とは別個に、撮像素子７による撮影画像の形成処理に関する画像形成処理部１４０を設けているが、これに限定されない。例えば、撮像素子５に関する画像形成処理の全部または一部と、撮像素子７に関する画像形成処理の全部または一部とを同一の処理部で実行するようにしてもよい。具体的には、デジタル信号処理回路５０が、撮像素子５の撮影画像に対する画像処理と撮像素子７の撮影画像に対する画像処理との双方を実行するようにしてもよい。
【０１０８】
また、上記実施形態においては、時刻Ｔ２から画像Ｇ０によるアフタービュー表示を開始しているが、これに限定されず、時刻Ｔ２以後の所定の時刻（例えば時刻Ｔ３０）から画像Ｇ０によるアフタービュー表示を開始するようにしてもよい。
【図面の簡単な説明】
【０１０９】
【図１】撮像装置の正面外観図である。
【図２】撮像装置の背面外観図である。
【図３】撮像装置の機能構成を示すブロック図である。
【図４】撮像装置の断面図（ＯＶＦ方式の構図決め動作時）である。
【図５】撮像装置の断面図（ＥＶＦ方式の構図決め動作時）である。
【図６】撮像装置の断面図（ＯＶＦ方式の構図決め動作後の露光動作時）である。
【図７】アフタービュー画像が表示された状態を示す背面図である。
【図８】アフタービュー表示動作に関するタイミングチャートである。
【図９】アフタービュー表示動作（動作周波数を低減した場合）に関するタイミングチャートである。
【図１０】アフタービュー表示前後の動作を示すフローチャートである。
【図１１】アフタービュー表示動作に関するタイミングチャートである。
【図１２】アフタービュー表示動作に関するタイミングチャートである。
【図１３】アフタービュー表示動作に関するタイミングチャートである。
【符号の説明】
【０１１０】
１  撮像装置
５，７  撮像素子
１１  レリーズボタン
１２  背面モニタ
４０，５０  デジタル信号処理回路
６１  主ミラー
１２４，１２５  タイミング制御回路
１４０，１５０  画像形成処理部
Ｅ１，Ｅ２  露光処理
Ｐ１，Ｐ２  画像処理
Ｒ１，Ｒ２  読出処理
ＶＡ  アフタービュー画像
【図１】
2009049833.tif 000003
【図２】
2009049833.tif 000004
【図３】
2009049833.tif 000005
【図４】
2009049833.tif 000006
【図５】
2009049833.tif 000007
【図６】
2009049833.tif 000008
【図７】
2009049833.tif 000009
【図８】
2009049833.tif 000010
【図９】
2009049833.tif 000011
【図１０】
2009049833.tif 000012
【図１１】
2009049833.tif 000013
【図１２】
2009049833.tif 000014
【図１３】
2009049833.tif 000015